(57)【要約】【課題】ギヤ部にフレッティング摩耗が生じるのを防止すると共に、内輪部材とハブ輪を強固に固定して軸受ガタを防止した車輪用軸受装置を提供する。【解決手段】内輪部材５の端部外周にギヤ部９が一体に形成され、ステム部８の端部にハブ輪４のセレーション４ｃに噛合するセレーション８ｂが形成されると共に、ギヤ部９から肩部７を介してステム部８に亙って高周波焼入れによって表面硬さを５８〜６４ＨＲＣの範囲に所定の硬化層１３が形成され、ハブ輪４に内輪部材５のステム部８がセレーション４ｃ、８ｂを介して圧入され、小径段部４ｂの端面に内輪部材５の肩部７が衝合された状態で、ステム部８の端部を径方向外方に塑性変形させてハブ輪４のパイロット部４ｄ内に位置する端面４ｅに加締め、この加締部１４によって、当該ハブ輪４と内輪部材５とが一体に塑性結合されている。【選択図】図１
2012158253.tif 000002
【特許請求の範囲】
【請求項１】
外周に懸架装置に取り付けられるための車体取付フランジを一体に有し、内周に複列の外側転走面が一体に形成された外方部材と、
一端部に車輪を取り付けるための車輪取付フランジを一体に有し、外周に前記複列の外側転走面の一方に対向する内側転走面と、この内側転走面から軸方向に延びる小径段部が形成され、内周にセレーションが形成されたハブ輪、およびこのハブ輪の小径段部に所定のシメシロを介して圧入され、外周に前記複列の外側転走面の他方に対向する内側転走面と、この内側転走面から肩部を介して軸方向に延びるステム部が形成された内輪部材からなる内方部材と、
この内方部材と前記外方部材の両転走面間に保持器を介して転動自在に収容された複列の転動体とを備えた車輪用軸受装置において、
前記内輪部材の端部外周にギヤ部が一体に形成され、前記ステム部の端部に前記ハブ輪のセレーションに噛合するセレーションが形成されると共に、
前記ハブ輪に前記内輪部材のステム部が前記セレーションを介して圧入され、前記小径段部の端面に前記内輪部材の肩部が衝合された状態で、前記ステム部の端部を径方向外方に塑性変形させて前記ハブ輪のパイロット部内に位置する端面に加締め、この加締部によって、当該ハブ輪と内輪部材とが一体に塑性結合されていることを特徴とする車輪用軸受装置。
【請求項２】
前記内輪部材が、前記内側転走面をはじめ、前記ギヤ部から肩部を介して前記ステム部のセレーションに亙って高周波焼入れによって表面硬さを５８〜６４ＨＲＣの範囲に所定の硬化層が形成され、前記加締部が鍛造後の表面硬さの生のままとされている請求項１に記載の車輪用軸受装置。
【請求項３】
前記ハブ輪が、前記内側転走面をはじめ、前記車輪取付フランジのインナー側の基部から前記小径段部に亙って高周波焼入れによって表面硬さを５８〜６４ＨＲＣの範囲に所定の硬化層が形成されると共に、前記セレーションに高周波焼入れによって表面硬さを５８〜６４ＨＲＣの範囲に所定の硬化層が形成されている請求項１に記載の車輪用軸受装置。
【請求項４】
前記転動体が円錐ころからなり、前記内輪部材の内側転走面の大径側に前記円錐ころを案内するための大鍔部が形成されると共に、前記外方部材の外側転走面の大径側に前記円錐ころを案内するための大鍔部が一体に形成されている請求項１に記載の車輪用軸受装置。
【請求項５】
前記車輪取付フランジの周方向等配位置に前記車輪を固定するハブボルトが植設され、前記車輪取付フランジのアウター側の側面に前記ハブボルトを包含する所定の幅を有する環状溝が形成されると共に、この環状溝以外の側面が、前記拡径加締後に二次切削されている請求項１に記載の車輪用軸受装置。
【請求項６】
前記ハブ輪のセレーションが前記小径段部の内径よりも小さく、ブローチ加工により形成されている請求項１に記載の車輪用軸受装置。
【請求項７】
前記内輪部材のステム部に前記ハブ輪の小径段部に嵌合されるインロウ部が形成され、このインロウ部の長さが前記内輪部材のセレーションの長さよりも短く設定されている請求項１に記載の車輪用軸受装置。
【発明の詳細な説明】
【技術分野】
【０００１】
本発明は、自動車等の車輪を回転自在に支承する車輪用軸受装置、特に、車輪を駆動・非駆動に切り替えるクラッチ機能を備えた車輪用軸受装置に関するものである。
【背景技術】
【０００２】
４輪駆動の自動車には、前輪または後輪を、車輪用軸受装置に備えられたクラッチ機能で選択的に従動輪に切り替え可能としたものがある。このようなクラッチ機能付きの車輪用軸受装置の従来例を図５に示す。この車輪用軸受装置は、車体側に取り付けられる外方部材５０と、この外方部材５０の内周の複列の外側転走面５０ａ、５０ａに対向する内側転走面５５ａを有する内方部材５１と、対向する転走面５０ａ、５５ａ間に介在した複列の円錐ころ５２、５２とからなる。内方部材５１は、車輪取付フランジ５３を有するハブ輪５４と、このハブ輪５４の外周に軸方向に並んで嵌合される２つの内輪５５、５６とで構成され、各内輪５５、５６はその外周に各列の内側転走面５５ａ、５５ａを有する。ハブ輪５４の内周には、駆動軸となる等速自在継手の外側継手部材（図示せず）の軸部が、軸受５７、５８を介して回転自在に支持されている。
【０００３】
ハブ輪５４の外周の２個の内輪５５、５６のうち、内端部側の内輪５６は、外周がギヤ部５６ａに形成され、かつ端部内周にスプライン状部５６ｂが形成されている。ハブ輪５４の内端部の外周にはスプライン状部５４ａが形成され、このスプライン状部５４ａに内輪５６のスプライン状部５６ｂが噛み合わされる。ハブ輪５４の内端部は、内輪５６の大端面を押し付けるフランジ状の加締部５４ｂとされ、この加締部５４ｂにより内輪５６がハブ輪５４に対して軸方向に固定されている。
【０００４】
内輪５６のギヤ部５６ａには、外側継手部材に形成されたギヤ部５９と噛み合うリング状のスライドギヤ６０が、軸方向へのスライドによって選択的に噛み合う。スライドギヤ６０を介して、内輪５６のギヤ部５６ａと外側継手部材のギヤ部５９とが連結された状態で、駆動力が外側継手部材から内輪５６およびハブ輪５４を介して車輪に伝達される。すなわち、この時、ハブ輪５４に支持される車輪は駆動輪となる。スライドギヤ６０が内輪５６のギヤ部５６ａに噛み合わない状態では、駆動力が車輪に伝達されず、この時ハブ輪５４に支持される車輪は従動輪となる。
【０００５】
このような構成では、内輪５６の端部外周に、外側継手部材のギヤ部５９に噛み合うスライドギヤ６０と噛合可能なギヤ部５６ａが形成されているので、ギヤ部５６ａへのスライドギヤ６０の噛み合いの有無により、クラッチ機能を持たせることができる。また、このギヤ部５６ａは、内輪５６に一体形成されているので、フレッティング摩耗が生じることがない。このため、内輪５６をハブ輪５４にクランプする軸力を充分に確保できて軸受ガタを防止できると共に、急発進時に、内輪５６からスティックスリップ音が発生するのも防止できる（例えば、特許文献１参照。）。
【先行技術文献】
【特許文献】
【０００６】
【特許文献１】特開２００５−１３８６５３号公報
【発明の概要】
【発明が解決しようとする課題】
【０００７】
然しながら、この従来の車輪用軸受装置では、内輪５６の端部内周にスプライン状部５６ｂが形成されていると共に、このスプライン状部５６ｂに噛合するスプライン状部５４ａがハブ輪５４に形成されているため、ハブ輪５４の内端部を塑性変形させて加締部５４ｂを形成する時、スプライン状部５６ｂに沿って径方向外方に成形され難くなり、微小クラック等の加締不具合が発生すると共に、内輪５６が押し広げられ、外径部にフープ応力が発生する恐れがある。
【０００８】
本発明は、このような事情に鑑みてなされたもので、ギヤ部にフレッティング摩耗が生じるのを防止すると共に、内輪部材とハブ輪を強固に固定して軸受ガタを防止し、また、急発進時に、内輪部材からスティックスリップ音が発生するのを防止した車輪用軸受装置を提供することを目的としている。
【課題を解決するための手段】
【０００９】
係る目的を達成すべく、本発明のうち請求項１記載の発明は、外周に懸架装置に取り付けられるための車体取付フランジを一体に有し、内周に複列の外側転走面が一体に形成された外方部材と、一端部に車輪を取り付けるための車輪取付フランジを一体に有し、外周に前記複列の外側転走面の一方に対向する内側転走面と、この内側転走面から軸方向に延びる小径段部が形成され、内周にセレーションが形成されたハブ輪、およびこのハブ輪の小径段部に所定のシメシロを介して圧入され、外周に前記複列の外側転走面の他方に対向する内側転走面と、この内側転走面から肩部を介して軸方向に延びるステム部が形成された内輪部材からなる内方部材と、この内方部材と前記外方部材の両転走面間に保持器を介して転動自在に収容された複列の転動体とを備えた車輪用軸受装置において、前記内輪部材の端部外周にギヤ部が一体に形成され、前記ステム部の端部に前記ハブ輪のセレーションに噛合するセレーションが形成されると共に、前記ハブ輪に前記内輪部材のステム部が前記セレーションを介して圧入され、前記小径段部の端面に前記内輪部材の肩部が衝合された状態で、前記ステム部の端部を径方向外方に塑性変形させて前記ハブ輪のパイロット部内に位置する端面に加締め、この加締部によって、当該ハブ輪と内輪部材とが一体に塑性結合されている。
【００１０】
このように、外周に懸架装置に取り付けられるための車体取付フランジを一体に有し、内周に複列の外側転走面が一体に形成された外方部材と、一端部に車輪を取り付けるための車輪取付フランジを一体に有し、外周に前記複列の外側転走面の一方に対向する内側転走面と、この内側転走面から軸方向に延びる小径段部が形成され、内周にセレーションが形成されたハブ輪、およびこのハブ輪の小径段部に所定のシメシロを介して圧入され、外周に前記複列の外側転走面の他方に対向する内側転走面と、この内側転走面から肩部を介して軸方向に延びるステム部が形成された内輪部材からなる内方部材と、この内方部材と外方部材の両転走面間に保持器を介して転動自在に収容された複列の転動体とを備えた車輪用軸受装置において、内輪部材の端部外周にギヤ部が一体に形成され、ステム部の端部にハブ輪のセレーションに噛合するセレーションが形成されると共に、ハブ輪に内輪部材のステム部がセレーションを介して圧入され、小径段部の端面に内輪部材の肩部が衝合された状態で、ステム部の端部を径方向外方に塑性変形させてハブ輪のパイロット部内に位置する端面に加締め、この加締部によって、当該ハブ輪と内輪部材とが一体に塑性結合されているので、ギヤ部にフレッティング摩耗が生じるのを防止すると共に、内輪部材とハブ輪を強固に固定して軸受ガタを防止し、また、急発進時に、内輪部材からスティックスリップ音が発生するのを防止した車輪用軸受装置を提供することができる。
【００１１】
また、請求項２に記載の発明のように、前記内輪部材が、前記内側転走面をはじめ、前記ギヤ部から肩部を介して前記ステム部のセレーションに亙って高周波焼入れによって表面硬さを５８〜６４ＨＲＣの範囲に所定の硬化層が形成され、前記加締部が鍛造後の表面硬さの生のままとされていても良い。
【００１２】
また、請求項３に記載の発明のように、前記ハブ輪が、前記内側転走面をはじめ、前記車輪取付フランジのインナー側の基部から前記小径段部に亙って高周波焼入れによって表面硬さを５８〜６４ＨＲＣの範囲に所定の硬化層が形成されると共に、前記セレーションに高周波焼入れによって表面硬さを５８〜６４ＨＲＣの範囲に所定の硬化層が形成されていても良い。
【００１３】
また、請求項４に記載の発明のように、前記転動体が円錐ころからなり、前記内輪部材の内側転走面の大径側に前記円錐ころを案内するための大鍔部が形成されると共に、前記外方部材の外側転走面の大径側に前記円錐ころを案内するための大鍔部が一体に形成されていれば、ハブ輪の形状が簡素化され、鍛造加工が容易になると共に、強度・剛性が高くなり、耐久性を向上させることができる。
【００１４】
また、請求項５に記載の発明のように、前記車輪取付フランジの周方向等配位置に前記車輪を固定するハブボルトが植設され、前記車輪取付フランジのアウター側の側面に前記ハブボルトを包含する所定の幅を有する環状溝が形成されると共に、この環状溝以外の側面が、前記拡径加締後に二次切削されていれば、ハブボルトの圧入による側面への変形等の影響を最小限に抑制できると共に、拡径加締後の二次切削により、ハブボルトの圧入によって増加した側面の面振れを可及的に抑制することができる。
【００１５】
また、請求項６に記載の発明のように、前記ハブ輪のセレーションが前記小径段部の内径よりも小さく、ブローチ加工により形成されていれば、低コストで精度良く仕上げることができると共に、内輪部材の圧入が可能になる。
【００１６】
また、請求項７に記載の発明のように、前記内輪部材のステム部に前記ハブ輪の小径段部に嵌合されるインロウ部が形成され、このインロウ部の長さが前記内輪部材のセレーションの長さよりも短く設定されていれば、ハブ輪に内輪部材を圧入する際、セレーションの歯の位相合せが容易となり、組立作業性が向上する。
【発明の効果】
【００１７】
本発明に係る車輪用軸受装置は、外周に懸架装置に取り付けられるための車体取付フランジを一体に有し、内周に複列の外側転走面が一体に形成された外方部材と、一端部に車輪を取り付けるための車輪取付フランジを一体に有し、外周に前記複列の外側転走面の一方に対向する内側転走面と、この内側転走面から軸方向に延びる小径段部が形成され、内周にセレーションが形成されたハブ輪、およびこのハブ輪の小径段部に所定のシメシロを介して圧入され、外周に前記複列の外側転走面の他方に対向する内側転走面と、この内側転走面から肩部を介して軸方向に延びるステム部が形成された内輪部材からなる内方部材と、この内方部材と前記外方部材の両転走面間に保持器を介して転動自在に収容された複列の転動体とを備えた車輪用軸受装置において、前記内輪部材の端部外周にギヤ部が一体に形成され、前記ステム部の端部に前記ハブ輪のセレーションに噛合するセレーションが形成されると共に、前記ハブ輪に前記内輪部材のステム部が前記セレーションを介して圧入され、前記小径段部の端面に前記内輪部材の肩部が衝合された状態で、前記ステム部の端部を径方向外方に塑性変形させて前記ハブ輪のパイロット部内に位置する端面に加締め、この加締部によって、当該ハブ輪と内輪部材とが一体に塑性結合されているので、ギヤ部にフレッティング摩耗が生じるのを防止すると共に、内輪部材とハブ輪を強固に固定して軸受ガタを防止し、また、急発進時に、内輪部材からスティックスリップ音が発生するのを防止した車輪用軸受装置を提供することができる。
【図面の簡単な説明】
【００１８】
【図１】本発明に係る車輪用軸受装置の一実施形態を示す縦断面図である。
【図２】図１のアウター側部を示す要部拡大図である。
【図３】図１のインナー側部を示す要部拡大図である。
【図４】図１のハブ輪単体を示す縦断面図である。
【図５】従来の車輪用軸受装置を示す縦断面図である。
【発明を実施するための形態】
【００１９】
外周に懸架装置に取り付けられるための車体取付フランジを一体に有し、内周に複列のテーパ状の外側転走面が一体に形成された外方部材と、一端部に車輪を取り付けるための車輪取付フランジを一体に有し、外周に前記複列の外側転走面の一方に対向するテーパ状の内側転走面と、この内側転走面から軸方向に延びる小径段部が形成され、内周にセレーションが形成されたハブ輪、およびこのハブ輪の小径段部に所定のシメシロを介して圧入され、外周に前記複列の外側転走面の他方に対向するテーパ状の内側転走面と、この内側転走面から肩部を介して軸方向に延びるステム部が形成された内輪部材からなる内方部材と、この内方部材と前記外方部材の両転走面間に保持器を介して転動自在に収容された複列の円錐ころとを備えた車輪用軸受装置において、前記内輪部材の端部外周にギヤ部が一体に形成され、前記ステム部の端部に前記ハブ輪のセレーションに噛合するセレーションが形成されると共に、前記ギヤ部から前記肩部を介して前記ステム部に亙って高周波焼入れによって表面硬さを５８〜６４ＨＲＣの範囲に所定の硬化層が形成され、前記ハブ輪に前記内輪部材のステム部が前記セレーションを介して圧入され、前記小径段部の端面に前記内輪部材の肩部が衝合された状態で、前記ステム部の端部を径方向外方に塑性変形させて前記ハブ輪のパイロット部内に位置する端面に加締め、この加締部によって、当該ハブ輪と内輪部材とが一体に塑性結合されている。
【実施例】
【００２０】
以下、本発明の実施の形態を図面に基づいて詳細に説明する。
図１は、本発明に係る車輪用軸受装置の一実施形態を示す縦断面図、図２は、図１のアウター側部を示す要部拡大図である。図３は、図１のインナー側部を示す要部拡大図、図４は、図１のハブ輪単体を示す縦断面図である。なお、以下の説明では、車両に組み付けた状態で車両の外側寄りとなる側をアウター側（図１の左側）、中央寄り側をインナー側（図１の右側）という。
【００２１】
この車輪用軸受装置は駆動輪側に用いられ、内方部材１と外方部材２、および両部材１、２間に転動自在に収容された複列の円錐ころ３、３とを備えている。内方部材１は、ハブ輪４と、このハブ輪４に塑性結合された内輪部材５とからなる。ハブ輪４は、アウター側の端部に車輪（図示せず）を取り付けるための車輪取付フランジ６を一体に有し、この車輪取付フランジ６の周方向等配位置に車輪を固定するハブボルト６ａが植設されていると共に、外周に一方（アウター側）のテーパ状の内側転走面４ａと、この内側転走面４ａから軸方向に延びる円筒状の小径段部４ｂが形成され、内周にはセレーション（またはスプライン）４ｃが形成されている。このセレーション４は、小径段部４ｂの内径よりも小さく設定されている。これにより、セレーション４ｃをブローチ加工によって形成することができ、低コストで精度良く仕上げることができると共に、後述する内輪部材５の圧入が可能になる。
【００２２】
内輪部材５は、外周に他方（インナー側）のテーパ状の内側転走面５ａと、この内側転走面５ａから肩部７を介して軸方向に延びる円筒状のステム部８が形成されている。ステム部８には、ハブ輪４の小径段部４ｂに所定のシメシロを介して円筒嵌合するインロウ部８ａと、このインロウ部８ａの端部にセレーション（またはスプライン）８ｂがそれぞれ形成されている。ここで、インロウ部８ａの長さがセレーション８ｂの長さよりも短く設定されている。これにより、ハブ輪４に内輪部材５を圧入する際、セレーション８ｂの歯の位相合せが容易となり、組立作業性が向上する。
【００２３】
また、内輪部材５の内側転走面５ａの大径側には円錐ころ３を案内するための大鍔部５ｂが形成されると共に、小径側には円錐ころ３の脱落を防止するための小鍔部５ｃが形成され、ハブ輪４の小径段部４ｂと内輪部材５の小鍔部５ｃ側の肩部７（正面側端面）が突き合された状態でセットされた背面合せタイプの複列の円錐ころ軸受を構成している。そして、大鍔部５ｂのインナー側の端部外周には転造加工によりギヤ部９が一体に形成されている。
【００２４】
外方部材２は、外周にナックル（図示せず）に取り付けられるための車体取付フランジ２ｂを一体に有し、内周に外向きに開いたテーパ状の複列の外側転走面２ａ、２ａが一体に形成されている。そして、複列の円錐ころ３、３は両転走面間に保持器１０を介して転動自在に収容されている。また、ナックルに内嵌される外径面に環状溝３０が形成され、この環状溝３０にＯリング等の弾性リング３１が装着されている。これにより、ナックルとの嵌合部の気密性を向上させることができる。
【００２５】
本実施形態では、複列の円錐ころ３、３のうちインナー側の円錐ころ３は、前述したように、内輪部材５側に形成された大鍔部５ｂによって案内されているが、アウター側の円錐ころ３は、外方部材２側に形成された大鍔部２ｃによって案内されている。すなわち、図２に示すように、アウター側の外側転走面２ａの大径側に大鍔部２ｃが一体に形成され、ハブ輪４の外周には大鍔部をはじめ、円錐ころ３の脱落を防止するための小鍔部も形成されていない。これにより、ハブ輪４の形状が簡素化され、鍛造加工が容易になると共に、強度・剛性が高くなり、耐久性を向上させることができる。
【００２６】
ハブ輪４はＳ５３Ｃ等の炭素０．４０〜０．８０ｗｔ％を含む中高炭素鋼（ＪＩＳ規格のＳＣ系機械構造用炭素鋼）で形成され、図４に示すように、内側転走面４ａをはじめ、車輪取付フランジ６のインナー側の基部６ｂから小径段部４ｂに亙って高周波焼入れによって表面硬さが５８〜６４ＨＲＣの範囲に所定の硬化層１１（図中クロスハッチングにて示す）が形成されると共に、セレーション４ｃの表面にも高周波焼入れによって表面硬さが５８〜６４ＨＲＣの範囲に所定の硬化層１２（図中クロスハッチングにて示す）が形成されている。
【００２７】
内輪部材５はハブ輪４と同様、Ｓ５３Ｃ等の炭素０．４０〜０．８０ｗｔ％を含む中高炭素鋼で形成され、図１に示すように、内側転走面５ａをはじめ、ギヤ部９から肩部７を介してステム部８のセレーション８ｂに亙って高周波焼入れによって表面硬さを５８〜６４ＨＲＣの範囲に所定の硬化層１３（図中クロスハッチングにて示す）が形成されている。なお、後述する加締部１４は鍛造後の表面硬さの生のままとされている。
【００２８】
外方部材２は、ハブ輪４と同様、Ｓ５３Ｃ等の炭素０．４０〜０．８０ｗｔ％を含む中高炭素鋼で形成し、複列の外側転走面２ａ、２ａが高周波焼入れによって表面に５８〜６４ＨＲＣの範囲に所定の硬化処理が施されている。そして、外方部材２と内方部材１との間に形成される環状空間の開口部にはシール１５、１６が装着され、軸受内部に封入した潤滑グリースの漏洩と、外部から雨水やダスト等が軸受内部に侵入するのを防止している。
【００２９】
アウター側のシール１５は、図２に拡大して示すように、外方部材２のアウター側端部の内周に所定のシメシロを介して圧入された芯金１７と、この芯金１７に接合されたシール部材１８とからなる一体型のシールで構成されている。芯金１７は、冷間圧延鋼板（ＪＩＳ規格のＳＰＣＣ系等）をプレス加工にて断面略Ｌ字状に形成されている。
【００３０】
一方、シール部材１８はＮＢＲ（アクリロニトリル−ブタジエンゴム）等の合成ゴムからなり、径方向外方に傾斜して延び、車輪取付フランジ６のインナー側の側面に所定のシメシロを介して摺接するサイドリップ１８ａと、この内径側で、径方向外方に傾斜して延び、断面が円弧状に形成された基部６ｂに所定の軸方向シメシロを介して摺接するダストリップ１８ｂと、軸受内方側に傾斜して延び、基部６ｂに所定の径方向すきまを介して対向するグリースリップ１８ｃを有している。なお、シール部材１８の材質としては、例示したＮＢＲ以外にも、例えば、耐熱性に優れたＨＮＢＲ（水素化アクリロニトリル・ブタジエンゴム）、ＥＰＤＭ（エチレンプロピレンゴム）等をはじめ、耐熱性、耐薬品性に優れたＡＣＭ（ポリアクリルゴム）、ＦＫＭ（フッ素ゴム）、あるいはシリコンゴム等を例示することができる。
【００３１】
また、インナー側のシール１６は、図３に拡大して示すように、互いに対向配置されたスリンガ１９と環状のシール板２０とからなる、所謂パックシールで構成されている。スリンガ１９は、強磁性体の鋼板、例えば、フェライト系のステンレス鋼板（ＪＩＳ規格のＳＵＳ４３０系等）、あるいは、防錆処理された冷間圧延鋼板からプレス加工にて断面が略Ｌ字状に形成され、内輪部材５の大鍔部５ｂに圧入される円筒部１９ａと、この円筒部１９ａから径方向外方に延びる立板部１９ｂとからなる。
【００３２】
一方、シール板２０は、外方部材２の端部に内嵌される芯金２１と、この芯金２１に加硫接着により一体に接合されたシール部材２２とからなる。芯金２１は、オーステナイト系ステンレス鋼板（ＪＩＳ規格のＳＵＳ３０４系等）、あるいは、防錆処理された冷間圧延鋼板からプレス加工にて断面略Ｌ字状に形成されている。
【００３３】
シール部材２２はＮＢＲ等の合成ゴムからなり、径方向外方に傾斜して延びる一対のサイドリップ２２ａ、２２ｂと、この内径側で、径方向内方に傾斜して形成されたグリースリップ２２ｂを有している。サイドリップ２２ａ、２２ｂはスリンガ１９の立板部１９ｂのアウター側の側面に所定の軸方向シメシロを介して摺接すると共に、グリースリップ２ｃは円筒部１９ａに所定の径方向シメシロを介して摺接している。なお、シール部材２２の材質としては、例示したＮＢＲ以外にも、例えば、耐熱性に優れたＨＮＢＲ、ＥＰＤＭ等をはじめ、耐熱性、耐薬品性に優れたＡＣＭ、ＦＫＭ、あるいはシリコンゴム等を例示することができる。
【００３４】
ここで、ハブ輪４と内輪部材５との一体化は、図２に示すように、ハブ輪４に内輪部材５のステム部８が所定のシメシロで圧入され、小径段部４ｂの端面に内輪部材５の肩部７が衝合された状態で、ハブ輪４のセレーション４ｃに内輪部材５のセレーション８ｂが噛合し、ステム部８の端部を径方向外方に塑性変形させてハブ輪４のパイロット部４ｄ内に位置する端面４ｅに加締め、この加締部１４により内輪部材５がハブ輪４に軸方向に固定されると共に、所定の軸受予圧量に管理されている。これにより、従来のように、加締加工時に内輪部材５にフープ応力が発生するようなことはなく、ハブ輪４と内輪部材５結合部の緩みを防止し、長期間に亙って初期に設定された軸受予圧を維持することができる。
【００３５】
本実施形態では、図１に示すように、車輪取付フランジ６のアウター側の側面６ｃにはハブボルト６ａを包含する所定の幅を有する環状溝２９が形成され、この環状溝２９以外の側面６ｃが、拡径加締後に、旋盤等により二次切削されている。このように、環状溝２９を側面６ｃに形成することにより、ハブボルト６ａの圧入による側面６ｃへの変形等の影響を最小限に抑制できると共に、拡径加締後に、さらに側面６ｃを二次切削することにより、ハブボルト６ａの圧入によって増加した側面６ｃの面振れを可及的に抑制することができる。
【００３６】
また、加締加工時に軸受部を回転させながら行うことにより、円錐ころ３が回転に伴って競りあがり、大鍔部５ｂ、２ｃに案内されるため、軸受内部すきまを規定値の範囲に安定して収めることができる。なお、ここでは、転動体が円錐ころ３からなる複列円錐ころ軸受を例示したが、本発明に係る車輪用軸受装置はこれに限らず、例えば、図示はしないが、転動体にボールを用いた複列アンギュラ玉軸受で構成されていても良い。
【００３７】
ハブ輪４の内周には、図示しない等速自在継手を構成する外側継手部材の軸部が転がり軸受２３、２４を介して回転自在に支持されている。これらの転がり軸受２３、２４のうち、アウター側の転がり軸受２３は深溝玉軸受からなり、インナー側の転がり軸受２４はシェル形の針状ころ軸受からなる。
【００３８】
また、ハブ輪４の小径段部４ｂには、環状のパルサリング２５が装着され、外方部材２には、このパルサリング２５に対峙する回転速度センサ２６が外周から内周に貫通して配設されている。パルサリング２５は、例えば、円周方向に並べて磁極Ｎ、Ｓが設けられた多極磁石からなる。一方、回転速度センサ２６は、ホール素子等からなり、内方部材１の回転に伴うパルサリング２５の磁極変化を検出してセンサ信号として出力し、車輪の回転速度を検出する。
【００３９】
ここで、本実施形態では、内輪部材５のギヤ部９には、外側継手部材のギヤ部２７と噛み合うリング状のスライドギヤ２８が、軸方向へのスライドによって選択的に噛み合う。このスライドギヤ２８を介して、内輪部材５のギヤ部９と外側継手部材のギヤ部２７が連結された状態で、駆動力が等速自在継手から内輪部材５およびハブ輪４を介して車輪に伝達される。すなわち、この時、ハブ輪４に支持される車輪は駆動輪となる。また、スライドギヤ２８が内輪部材５のギヤ部９に噛み合わない状態では、駆動力が車輪に伝達されず、この時、ハブ輪４に支持される車輪は従動輪となり、４輪／２輪の切り換えが選択的に行われる。
【００４０】
本実施形態では、ギヤ部９が内輪部材５に一体に形成されているのでフレッティング摩耗が生じるのを防止することができ、また、ハブ輪４と内輪部材５が加締加工によって塑性結合されて一体化されているので、内輪部材５とハブ輪４との結合部の緩みを防止し、長期間に亙って初期に設定された軸受予圧を維持することができると共に、急発進時に、内輪部材５からスティックスリップ音が発生するのを防止した車輪用軸受装置を提供することができる。
【００４１】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【産業上の利用可能性】
【００４２】
本発明に係る車輪用軸受装置は、ハブ輪とこのハブ輪に嵌合された内輪部材を備え、特に、この内輪部材が揺動加締により固定された第３世代構造の車輪用軸受装置に適用することができる。
【符号の説明】
【００４３】
１  内方部材
２  外方部材
２ａ  外側転走面
２ｂ  車体取付フランジ
２ｃ、５ｂ  大鍔部
３  円錐ころ
４  ハブ輪
４ａ、５ａ  内側転走面
４ｂ  小径段部
４ｃ、８ｂ  セレーション
４ｄ  パイロット部
４ｅ  ハブ輪の端面
５  内輪部材
５ｃ  小鍔部
６  車輪取付フランジ
６ａ  ハブボルト
６ｂ  車輪取付フランジのインナー側の基部
６ｃ  車輪取付フランジのアウター側の側面
７  肩部
８  ステム部
８ａ  インロウ部
９、２７  ギヤ部
１０  保持器
１１、１２、１３  硬化層
１４  加締部
１５  アウター側のシール
１６  インナー側のシール
１７、２１  芯金
１８、２２  シール部材
１８ａ、２２ａ、２２ｂ  サイドリップ
１８ｂ  ダストリップ
１８ｃ、２２ｃ  グリースリップ
１９  スリンガ
１９ａ  円筒部
１９ｂ  立板部
２０  シール板
２３、２４  転がり軸受
２５  パルサリング
２６  回転速度センサ
２８  スライドギヤ
２９、３０  環状溝
３１  弾性リング
５０  外方部材
５０ａ  外側転走面
５１  内方部材
５２  円錐ころ
５３  車輪取付フランジ
５４  ハブ輪
５４ａ、５６ｂ  スプライン状部
５４ｂ  加締部
５５、５６  内輪
５５ａ  内側転走面
５６ａ、５９  ギヤ部
５７、５８  軸受
６０  スライドギヤ
【図１】
2012158253.tif 000003
【図２】
2012158253.tif 000004
【図３】
2012158253.tif 000005
【図４】
2012158253.tif 000006
【図５】
2012158253.tif 000007